(57)【特許請求の範囲】
【請求項１】
ロアフロアと、該ロアフロアの上に固定されるアッパフロアと、を備え、
上記ロアフロアに対する上記アッパフロアの固定位置を変えることでフロア面のサイズを変更できる浴室ユニットであって、
上記ロアフロアは上面の一辺側にその周辺より高い段部を備え、
上記段部に上記アッパフロアを載置させることで該アッパフロアの上面がフロア面を構成し、
上記アッパフロアを上記段部に突き当てた状態で上記ロアフロアに載置させることで該段部の上面と該アッパフロアの上面とがフロア面を構成することを特徴とする、浴室ユニット。
【請求項２】
前記フロア面は洗い場であって、
前記段部には、排水口を有する凹部が形成されており、
前記アッパフロアには、上記凹部に対応した切欠部或いは開口が形成されている、請求項１に記載の浴室ユニット。
【請求項３】
前記ロアフロアには、前記切欠部或いは開口に対応した凸部が形成されている、請求項２に記載の浴室ユニット。
【発明の詳細な説明】
【技術分野】
【０００１】
本発明は浴室ユニットのフロアに係り、特に、浴室ユニットを設置する空間の寸法に応じてフロア面のサイズを調節できる浴室ユニットに関するものである。
【背景技術】
【０００２】
従来の一般的な浴室ユニットでは、図８に示すように、洗い場フロア１０１は浴槽フロア１０２と一体に構成されている。この種のフロア１００は、複数の既製サイズのものが準備されており、浴室ユニットを設置する空間（以下、設置空間と言う）の寸法に応じて適宜選択されている。したがって、一つのフロアでは、寸法の異なる設置空間に対応することができなかった。
【０００３】
そこで、寸法の異なる設置空間に対応して寸法調整を可能とした浴室装置が提案され、特許文献１に開示されている。この浴室装置は、複数の分割パンを備え、分割パン同士の重なる範囲を調節することで寸法の異なる設置空間に対応したフロアを構成している。
【特許文献１】特開平９−３１６９５２号公報
【発明の開示】
【発明が解決しようとする課題】
【０００４】
しかし、特許文献１の浴室装置は、フロアのベースを分割構成したものであり、各分割パン同士の重なる範囲を調節して設置しても、ベースの表面には分割パンの接合部の段差が残るため、そのままではフロア面として利用することはできない。そこで、ベースの上に床下地材やこの床下地材の上にタイルを敷き詰める必要がある（特許文献１の段落〔００４５〕）。このように分割パン設置後に製品外観面としての意匠面を形成する作業を行うので、浴室ユニット設置の作業数が増加するという問題があった。
【０００５】
本発明は以上の点に課題に鑑みて、フロア面のサイズ調整後も段差が出来ることなく仕上げられる浴室ユニットを提供することを目的とする。
【課題を解決するための手段】
【０００６】
上記目的を達成するため、本発明は、ロアフロアとロアフロアの上に固定されるアッパフロアとを備え、ロアフロアに対するアッパフロアの固定位置を変えることでフロア面のサイズを変更できる浴室ユニットであって、ロアフロアは上面の一辺側にその周辺より高い段部を備え、段部にアッパフロアを載置させることでアッパフロアの上面をフロア面として構成し、アッパフロアを段部に突き当てた状態でロアフロアに載置させることで段部の上面とアッパフロアの上面とでフロア面を構成することを特徴としている。
【０００７】
本発明の浴室ユニットにおいて、好ましくは、フロア面は洗い場であって、ロアフロアの段部には排水口を有する凹部が形成され、アッパフロアには凹部に対応した切欠部或いは開口が形成されている。
【０００８】
本発明の浴室ユニットにおいて、好ましくは、ロアフロアには、切欠部或いは開口に対応した凸部が形成されている。
【発明の効果】
【０００９】
本発明によれば、浴室ユニットを設置する空間の寸法に応じてフロア面のサイズ、即ち面積を広くし又は狭くし得るフロアを構成できる。しかも、ロアフロアに対してアッパフロアを固定する際にいずれの位置に固定しようとも、固定後にそれらの上面には段差部が形成されない。したがって、特許文献１の浴室装置のような複数のパン同士を接合して構成したベースに下地剤・タイルなどを付設する後処理を行う必要がなく、作業を短時間で容易に行える。
【発明を実施するための最良の形態】
【００１０】
以下、図面に基づいて本発明の実施形態を説明する。
図１は本発明の実施形態に係る浴室ユニット１を示す分解斜視図である。
浴室ユニット１は、洗い場フロアを構成するものであり、ロアフロア１０と、このロアフロア１０に対して固定位置が選択されて固定されるアッパフロア２０と、から二重構造に構成され、洗い場フロアのサイズを広狭何れかに調整可能として、浴室ユニット１の設置スペースの広狭に応じて対応できるようになっている。
【００１１】
ロアフロア１０は、長方形型のプレート（以下、ロアプレート部と称す）１１と、このロアプレート部１１の一方の長縁から立ち上がった側壁部１２と、から構成されている。ロアプレート部１１は、ロアプレート上面Ｓ１の一辺側にその周辺より高い段部１３を備えている。この段部１３は、図示例では側壁部１２側の長縁１１Ａ（図１では鎖線で示す）に沿って、ロアプレート上面Ｓ１より高く形成されている。この段部１３の上面Ｓ２は平らに形成され、段の高さＨ１は後述するアッパプレート部２１の厚みｔ（図２参照）と同等に形成されている。段部１３の長手方向中間部には、底部に排水口１４ａを有する凹部１４が形成されている。この凹部１４から他方の長縁１１Ｂ側にずれた位置に凸部１５がロアプレート上面Ｓ１に形成されている。この凸部１５も、ロアプレート上面Ｓ１より高く形成されており、その上面Ｓ３が平らに形成され、その高さＨ２も後述するアッパプレート部２１の厚みｔ（図２参照）と同等に形成されている。このロアフロア１０は、樹脂で一体成形される。
なお、段部１３と凸部１５の上面Ｓ２，Ｓ３には色柄や滑り止め用模様パターン等の意匠が付されている。
【００１２】
アッパフロア２０は、長方形型のプレート（以下、アッパプレート部と称す）２１と、このアッパプレート部２１の一対の短縁と一方の長縁からそれぞれ立ち上がった３つの側壁部２２〜２４と、から構成されている。
このアッパプレート部２１の長手方向の寸法Ｌ１はロアプレート部１１の寸法Ｌ２と同じに設定されているが、幅方向の寸法Ｗ１はロアプレート部１１の寸法Ｗ２よりも２０〜１００ｍｍ程度短く設定されている。アッパフロア２０の側壁部２２〜２４の高さＨ３は、ロアフロア１０の側壁部１２の高さ（ロアプレート部表面からの高さ）Ｈ４と同じに設定されている。
【００１３】
アッパプレート部２１は、側壁部がない長縁（以下、この長縁を開放端と言う）２１Ａの長手方向中間部に、切欠部２５を有する。この切欠部２５は、ロアフロア１０の凹部１４に対応して形成されたものであり、後述するように、アッパプレート部２１をロアプレート部１１の段部１３及び凸部１５に載置させた際、凹部１４を開放させるものである。また、後述するように、アッパプレート部２１をロアプレート上面Ｓ１に載置させた際、切欠部２５に前述の凸部１５が嵌入する。
【００１４】
さらに、アッパプレート部２１は、図２に示すように、側壁部２４が立ち上がっている長縁側のアッパプレート下面から下方へ突出した脚部２６を備えている。この脚部２６は、図３に示すように、アッパプレート部２１がロアプレート部１１の段部１３に載置された際にアッパプレート部２１が傾くことを防止する。このアッパフロア２０は、樹脂で一体成形される。
なお、アッパプレート部２１の上面Ｓ４には色柄や滑り止め用模様パターン等の意匠が付されている。
【００１５】
このように構成された浴室ユニット１の使用方法について説明する。
先ず、フロアを設置するスペースが狭い場合には、図４に示すように、アッパプレート部２１をロアプレート部１１の段部１３及び凸部１５の上に載置させる。その際、アッパプレート部２１の開放端２１Ａをロアフロア１０の側壁部１２に突き当てると共に、凹部１４が開放されるよう、アッパプレート部２１の切欠部２５をロアプレート部１１の凹部１４の上に配置する。両者を重ねるとき、例えば接着剤を用いてアッパフロア２０をロアフロア１０に固定する。これにより、ロアフロア１０に対してアッパフロア２０が横方向にはみ出さないようにアッパフロア２０はロアフロア１０の上に取り付けられる。この場合、意匠面を有する段部１３はアッパプレート部２１で覆われるため、フロア面はアッパプレート部２１の上面Ｓ４だけで構成される。
なお、アッパプレート部２１の開放端２１Ａとロアフロア１０の側壁部１２との隙間にはコーキング剤等を充填し、止水処理を施す。これにより、四方が防水壁で囲われた洗い場フロアＦ１が構成される。
【００１６】
さらに、このように構成された洗い場フロアＦ１に隣接して浴槽フロアが設けられる場合、次のように洗い場フロアと浴槽フロアとを接続すると良い。
図５（Ａ）に示すように、ロアフロア１０の段部１３側を浴槽フロア側に寄せて配置し、浴槽フロアの側壁部４０の上部から外側に突出した接続部４１をロアフロア１０の側壁部１２の上端部に連結する。ここで、浴槽フロアの接続部４１とは、側壁部４０の上部から水平方向外側に延出した水平部４１Ａとこの水平部４１Ａの先端から下方に延出した垂下部４１Ｂとから構成されている。図５に示すように、この接続部４１と浴槽フロアの側壁部４０との間に画成される溝部４３にロアフロア１０の側壁部１２の上部を嵌挿し、両者をねじ５０で固定する。その際、接続部４１と側壁部１２の上部との間にパッキン６０を挟み込むことで、止水が可能となる。
【００１７】
フロアを設置するスペースが広い場合には、アッパプレート部２１をロアプレート部１１の上面Ｓ１に直接載置させる。その際、図６に示すように、アッパプレート部２１の切欠部２５に凸部１５を嵌挿させると共にアッパプレート部２１の開放端２１Ａをロアフロア１０の段部１３に突き当てる。これにより、アッパプレート部２１を段部１３及び凸部１５に載置させた場合に比べて、開放端２１Ａが段差１３の幅分ずれた位置に配置されるため、アッパフロア２０がロアフロア１０の端から横方向にはみ出す。よって、フロア面は、アッパプレート部２１だけでなく、このアッパプレート部２１の上面Ｓ４と同じ高さ位置に平面を有する段部１３及び凸部１５の上面Ｓ２，Ｓ３とによって画成され、図４に示す洗い場フロアＦ１よりも広い洗い場フロアＦ２が形作られる。
【００１８】
なお、図６に示すように、ロアフロア１０の側壁部１２の端とアッパフロア２０の側壁部２２，２３の端との間に開口２７，２７が画成されるので、これらの開口２７，２７を塞ぐように板状の埋めプレート３０を取り付ける。このようにして、防水壁が四方に構成される。また、アッパプレート部２１の開放端２１Ａとロアプレート部１１との隙間等にはコーキング剤等を充填し、止水処理を施す。
【００１９】
このように構成された洗い場フロアＦ２に隣接して浴槽フロアが設けられる場合、次のように両者を接続すると良い。
図５（Ｂ）に示すように、ロアフロア１０の段部１３側を浴槽フロア側に寄せて配置し、浴槽フロアの側壁部４０の上部から外側に突出した接続部４１をロアフロア１０の側壁部１２の上端部に連結する。具体的には図５（Ｂ）に示すように、この接続部４１の垂下部４１Ｂの外側表面にロアフロア１０の側壁部１２の上部を突き当てて、両者をねじ５０で固定する。その際、接続部４１と側壁部１２の上部との間にパッキン６０を挟み込むことで、止水が可能となる。
【００２０】
このように、本発明の浴室ユニット１によれば、浴室ユニットを設置する空間の寸法に応じてフロア面のサイズ、即ち面積の異なるフロアＦ１，Ｆ２を構成することができる。しかも、ロアフロア１０に対するアッパフロア２０の固定位置がいずれの場合でも、固定後にそれらの上面には段差部が構成されない。さらに、ロアプレート部１１の段部１３の上面Ｓ２とアッパプレート部２の上面Ｓ４には滑り止め用の模様パターンなどの意匠が付されているので、組立後に製品外観面としての意匠面を形成する作業を行う必要がない。したがって、特許文献１の浴室装置のような複数のパン同士を接合して構成したベースに下地剤・タイルなどを付設する後処理を行う必要がなく、作業を短時間で容易に行える。
【００２１】
本発明はその趣旨を逸脱しない範囲で、記述した以外の様々な形態で実施をすることができる。
上記説明では、洗い場フロアが浴槽フロアに隣接して設けられる場合を例示したが、浴槽フロアを備えない浴室ユニットにも適用可能である。この場合、例えば、図７（Ａ）及び（Ｂ）に示すように、バスエプロン７０の下端をロアフロア１０の側壁部１２の上端に接続させる。その際、バスエプロン７０とロアフロア１０との間にパッキン（図示省略）を挟むことで止水が可能である。なお、図４に示すように、狭い設置スペースの場合の洗い場フロアＦ１には、ロアフロア１０の側壁部１２の端とアッパフロア２０の側壁部２２，２３の端との高さが異なることから段差が構成される（図４のαの領域）。この段差に整合するようにエプロンの下端（図７（Ａ）のβの領域）を加工するとよい。
また、上記構成例では、アッパプレート部２１に切欠部２５が形成されているが、この切欠部２５に代えて、四方が囲まれた開口を用いてよい。この場合、凸部１５は、凹部１４から所定の距離をおいた位置に設けられる。
なお、アッパプレート部２１及びロアプレート部１１は、長方形に限らず正方形であってもよいことは明らかである。本発明の浴室ユニットは、図面の寸法サイズ及びその比率に限定されるものではないことも言うまでもない。
【図面の簡単な説明】
【００２２】
【図１】本発明の実施形態に係る浴室ユニットの分解斜視図である。
【図２】図１のＡ−Ａ線断面図である。
【図３】本発明の実施形態に係るアッパフロアの足部の機能を説明するための図である。
【図４】本発明の実施形態に係る浴室ユニットの組立状態を示す斜視図である。
【図５】（Ａ）及び（Ｂ）は本発明の実施形態に係る浴室ユニットにより構成される洗い場フロアに、浴槽フロアを接続する構成を示す図である。
【図６】本発明の実施形態に係る浴室ユニットの他の組立状態を示す斜視図である。
【図７】（Ａ）及び（Ｂ）は本発明の実施形態に係る浴室ユニットにより構成される洗い場フロアに、バスエプロンを接続する構成を示す図である。
【図８】従来のシステムバスのフロアを示す斜視図である。
【符号の説明】
【００２３】
１      浴室ユニット
２      アッパプレート部
１０    ロアフロア
１１    ロアプレート部
１１Ａ，１１Ｂ  長縁
１２，２２〜２４，４０    側壁部
１３    段部
１４    凹部
１４ａ  排水口
１５    凸部
２０    アッパフロア
２１    アッパプレート部
２１Ａ  開放端
２５    切欠部
２６    足部
２７      開口
３０    プレート
４１    接続部
４１Ａ  水平部
４１Ｂ  垂下部
４３    溝部
６０    パッキン
７０    バスエプロン
Ｆ１，Ｆ２    フロア
【図１】
0004996778.tif 000002
【図２】
0004996778.tif 000003
【図３】
0004996778.tif 000004
【図４】
0004996778.tif 000005
【図５】
0004996778.tif 000006
【図６】
0004996778.tif 000007
【図７】
0004996778.tif 000008
【図８】
0004996778.tif 000009